(57)【特許請求の範囲】
【請求項１】
ある部材を回転軸上に装着する、すなわち渦巻きポンプの、あるいは軸流ポンプの羽根車（５）を駆動軸端（７）に装着する装置において、スロットが形成されたソケット（８）が前記軸端（７）上に配置され、前記ソケットが前記羽根車内の軸孔に対応する外側直径を有し、前記ソケット（８）には前記軸端（７）から離れた端部において調整ねじ（１０）のためのねじ孔（９）が形成され、前記ポンプの羽根車（５）には、前記調整ねじ（１０）が緩められることによって前記羽根車が前記軸端に対して動かされると該調整ねじが接触するようになる中央肩部を備えていることを特徴とする、回転軸にある部材を装着する装置。
【請求項２】
前記軸端（７）が円錐形であり、前記ソケット（８）の内側が円錐形であり、外側が円筒形であることを特徴とする、請求項１に記載の装置。
【請求項３】
前記軸端（７）には、その中に前記ポンプ羽根車（５）を固定するために固定ねじ（１１）をねじ込み得るねじ孔が設けられていることを特徴とする、請求項１に記載の装置。
【請求項４】
前記調整ねじ（１０）には前記固定ねじ（１１）のための通し孔が形成されていることを特徴とする、請求項１に記載の装置。
【請求項５】
前記軸端（７）は前記調整ねじ（１０）が前記ソケット（８）中にねじ込まれた際に接触するようになる面を有し、そのため前記ソケットと前記ポンプ羽根車を前記軸端から緩めることを特徴とする、請求項１に記載の装置。
【発明の詳細な説明】
【０００１】
【発明の属する技術分野】
本発明はある部材を回転軸上に装着する、すなわち駆動軸上に回転羽根車を装着する装置であって、該駆動軸がそれを包囲するポンプハウジングに対して適切な位置を得るように該駆動軸に沿って摺動可能にポンプ羽根車を該駆動軸上に装着する装置に関する。
【０００２】
【従来の技術】
例えば渦巻きポンプあるいは軸流（ａｘｉａｌ）ポンプのような回転ポンプの羽根車を有するポンプにおいて、回転ポンプの羽根車は駆動軸に対して適切な方法で堅固に、かつ回転しないように装着する必要がある。一般に使用される固定手段は、それぞれ駆動軸内と羽根車内にある対向する溝中に挿入される楔から構成される楔継手である。そのような継手は極めて適切であることが多いが、ある特性を欠いており、この事が時には欠点となる。例えば、羽根車を駆動軸から緩め、交換することが困難であることがよくあり、また駆動軸上の軸線方向位置を調整することが困難であることもあり得る。
【０００３】
以下の技術分野の説明では水中ポンプ、特に高度に汚染した液体を汲み出す渦巻きポンプと、それに伴って発生する特定の問題を取り扱う。
【０００４】
水中渦巻きポンプは例えば電動モータのような駆動装置と、駆動軸を介して電動モータに接続された回転ポンプ羽根車を備えたポンプハウジングを含む油圧装置とを含む。前記モータとポンプハウジングとの間にモータへ液体が侵入しないようにする密封装置が配置されている。
【０００５】
【発明が解決しようとする課題】
ポンプ羽根車に対する周りのポンプハウジングの位置はポンプとしての良好な結果を得る上で勿論極めて重要である。このことは軸線方向位置並びに半径方向位置についてもいえる。強度に摩滅性粒子を含有する液体を汲み上げる場合、ポンプ羽根車並びにその他の要素は摩耗し、これは初期に正確に測定されたスロットを均等な間隔をおいて調整する必要があることを意味する。ポンプの羽根車インペラは駆動軸に堅固に装着されているので、軸線方向の調整は調整可能なポンプハウジングによってのみ得ることができる。ポンプ羽根車の前縁とポンプハウジングの底部の間のスロットを調整するためにポンプハウジングは軸線方向に運動可能とされる必要がある。このようにして、面の摩耗に対して半径方向スロットを調整することが可能である。多数の軸線方向に向けられたねじによって得られるこの調整は時には十分正確ではないので、従ってポンプ羽根車の軸線方向調整を可能としたいという願望があった。
【０００６】
【課題を解決するための手段】
本発明によれば、前記の問題は特許請求の範囲に記載し、添付図面に示す装置によって解決される。
【０００７】
【発明の実施の形態】
図において、１は駆動装置を、２は駆動軸を、３はシール装置を、４はポンプハウジングを、５はポンプ羽根車を、６は調整ねじを示す。７は駆動軸２の端部を、８はソケットを、９は前記ソケットのねじ孔を、１０は調整ねじを、１１は固定ねじを、１２はポンプ羽根車の前縁を、１３はポンプハウジングの底を示す。
【０００８】
図１に示す水中渦巻きポンプは駆動装置１と、駆動軸２と、シール装置３と、ポンプハウジング４と、ポンプ羽根車５とを含む。ポンプハウジングの底は調整ねじ６によってポンプ羽根車に対して調整可能である。
【０００９】
本発明を図２から図５までを参照して以下に説明する。好適実施例によれば、駆動軸２は円錐形の端部７を備えている。前記端部にソケット８が配置されており、該ソケットは内側が円錐形で外側が円筒形である。前記円錐形端部７から離れたソケット８の端部には中央の調整ねじ１０のためのねじ孔が形成されており、調整ねじの方にはポンプ羽根車の固定ねじ１１のための通り孔が形成されている。
【００１０】
ポンプ羽根車の装着は図２に示すように、以下の要領で行われる。ソケット８は端部７上へ滑入され、調整ねじ１０がソケットの下端面と整合するようになるまでねじ孔９中にねじ込まれる。その後、ポンプ羽根車５がソケット８に装着され、固定ねじ１１が駆動軸の端部７内の図示していない孔中にねじ込まれる。前記ねじ１１は次いで端部７上に圧入されたソケット８が、ポンプ羽根車を一時的に適所に保持するに十分広がるように  極軽く締め付けられる。
【００１１】
その後、図３に示すように、ポンプハウジング４が装着され、通常の方法で駆動装置に装着される。次いで、ポンプ羽根車の前縁１２とポンプハウジング４の底部との間でスロットが形成される。固定ねじ１１は緩められ、回転羽根車内の軸孔を通して導かれ、かつ調整ねじ１０中に装嵌するようにする余地を工具に提供する。この工具によって、調整ねじはある程度緩められることによってポンプ羽根車をポンプハウジングの底部１３と接触するよう下向きに押圧する。
【００１２】
次いで図４を参照すると、工具が所定のトルクで締め付けられた固定ねじ１１に取り替えられている。次いで、ポンプ羽根車の前縁をポンプハウジングの底部との接触から弛緩させ、極めて狭いが充分に画成されたスロットが得られる。これで装着は終了し、ポンプは作動しうる状態となる。
【００１３】
ポンプ羽根車の前縁あるいはポンプハウジングの底部の摩耗によりそれらの間のスロットが広がり過ぎたとすれば、固定ねじ１１を緩め、調整ねじ１０を回転させポンプ羽根車を軸線方向下向きに動かすことによって、スロットを狭くするように前述の工具が使用される。次いで、固定ねじが締められ、ポンプは再び最適状態で作動し得る。この手順は数回繰返し得る。
【００１４】
図５に示すように分解する場合にも同じ手順が適用される。ポンプハウジングは先ず、外され、次いで固定ねじ１１が緩められる。前記工具が装着され、調整ねじ１０が軸端７に向って締め付けられ、そのためポンプ羽根車が緩められるまで下向きに押圧される。
【００１５】
本発明によれば、ポンプ羽根車を駆動軸にしっかりとかつ明確に固定する装置が提供される。本装置はまた、必要に応じポンプ羽根車を繰返し調整可能とし、かつ種々の部材を簡単かつ確実に分解可能とする。調整可能性によってまた、ポンプの性能を落とすことなく公差に対する要求を若干下げうるので、製造費用も低減する。
【００１６】
前述の説明はポンプ羽根車を駆動軸に装着する上での問題を扱っている。しかしながら、本発明はまた、調整可能性が大きな利点をもたらし得るファン技術分野のようなその他の技術分野の範囲においても適用可能である。
【図面の簡単な説明】
【図１】今日一般に使用されている水中渦巻きポンプの断面図である。
【図２】ある装着局面における本発明による装置を示す図である。
【図３】ある装着局面における本発明による装置を示す図である。
【図４】ある装着局面における本発明による装置を示す図である。
【図５】ある装着局面における本発明による装置を示す図である。
【符号の説明】
５  ポンプ羽根車
７  駆動軸端
８  ソケット
９  ねじ孔
１０  調整ねじ
１１  固定ねじ
【図１】
0004464510.tif 000002
【図２】
0004464510.tif 000003
【図３】
0004464510.tif 000004
【図４】
0004464510.tif 000005
【図５】
0004464510.tif 000006